(57)【特許請求の範囲】
【請求項１】
光検出および測距（ＬＩＤＡＲ）送信機であって、
ａ）複数の光学ビームを生成する複数の光エミッタと、
ｂ）第１のレンズであって、前記第１のレンズは、前記複数の光エミッタのうちの少なくとも１つからある距離において、前記複数の光学ビームの光学経路内に位置付けられ、前記距離は、前記第１のレンズの焦点距離未満であり、前記第１のレンズは、前記複数の光学ビームをビームウェストを有する収束された光学ビームに収束させる、第１のレンズと、
ｃ）第２のレンズであって、前記第２のレンズは、前記ビームウェストにおいて前記収束された光学ビームの光学経路内に位置付けられ、前記第２のレンズは、前記収束された光学ビームを標的範囲に投影させる、第２のレンズと
を備え、
前記第２のレンズの位置および前記複数の光エミッタのうちの少なくとも１つの放出幅は、前記ＬＩＤＡＲ送信機の所望の視野を前記標的範囲に提供するように構成される、ＬＩＤＡＲ送信機。
【請求項２】
前記第２のレンズの位置はさらに、前記標的範囲における前記ＬＩＤＡＲ送信機の角分解能を減少させるように選定される、請求項１に記載のＬＩＤＡＲ送信機。
【請求項３】
前記第２のレンズの開口のサイズは、前記収束された光学ビームのビームウェストのサイズと等しい、請求項１に記載のＬＩＤＡＲ送信機。
【請求項４】
前記複数の光エミッタは、光エミッタのアレイを形成する、請求項１に記載のＬＩＤＡＲ送信機。
【請求項５】
ある方向における前記収束された光学ビームのビームウェストのサイズは、前記ある方向における前記アレイのサイズ以下である、請求項４に記載のＬＩＤＡＲ送信機。
【請求項６】
前記光エミッタのアレイの中心光エミッタによって生成された光学ビームおよび前記光エミッタのアレイの最外光エミッタによって生成された光学ビームは、前記第２のレンズの開口を充填する、請求項４に記載のＬＩＤＡＲ送信機。
【請求項７】
前記複数の光エミッタのうちの少なくとも２つは、異なる波長を伴う光を放出する、請求項１に記載のＬＩＤＡＲ送信機。
【請求項８】
前記複数の光エミッタは、複数のＶＣＳＥＬデバイスを備える、請求項１に記載のＬＩＤＡＲ送信機。
【請求項９】
前記複数のＶＣＳＥＬデバイスは、２次元ＶＣＳＥＬアレイを備える、請求項８に記載のＬＩＤＡＲ送信機。
【請求項１０】
前記ＶＣＳＥＬデバイスは、上部放出型ＶＣＳＥＬデバイスとして構成される、請求項８に記載のＬＩＤＡＲ送信機。
【請求項１１】
前記ＶＣＳＥＬデバイスは、底部放出型ＶＣＳＥＬデバイスとして構成される、請求項８に記載のＬＩＤＡＲ送信機。
【請求項１２】
前記複数の光エミッタは、モノリシックＶＣＳＥＬアレイを備え、前記複数のＶＣＳＥＬデバイスのそれぞれは、共通基板上に形成される、請求項８に記載のＬＩＤＡＲ送信機。
【請求項１３】
前記第２のレンズの位置および前記複数の光エミッタのうちの少なくとも１つの放出幅は、前記ＬＩＤＡＲ送信機の所望の視野を１８度よりも大きい前記標的範囲に提供するように構成される、請求項１に記載のＬＩＤＡＲ送信機。
【請求項１４】
前記第２のレンズの位置はさらに、前記標的範囲における前記ＬＩＤＡＲ送信機の角分解能が、２．８度未満であるように選定される、請求項１に記載のＬＩＤＡＲ送信機。
【請求項１５】
光検出および測距（ＬＩＤＡＲ）送信機であって、
ａ）第１の送信機アレイであって、前記第１の送信機アレイは、第１の複数の光学ビームを生成する第１の複数の光エミッタを備える、第１の送信機アレイと、
ｂ）第１のレンズであって、前記第１のレンズは、前記複数の光エミッタのうちの少なくとも１つからある距離において、前記第１の複数の光学ビームの光学経路内に位置付けられ、前記距離は、前記第１のレンズの焦点距離未満であり、前記第１のレンズは、前記第１の複数の光学ビームを収束させ、ビームウェストを伴う第１の収束された光学ビームを形成する、第１のレンズと、
ｃ）第２のレンズであって、前記第２のレンズは、前記ビームウェストにおいて前記第１の収束された光学ビームの光学経路内に位置を有し、前記第２のレンズは、前記第１の収束された光学ビームを標的範囲に投影させ、前記第２のレンズの位置および前記第１の複数の光エミッタのうちの少なくとも１つの放出幅は、前記投影された第１の収束された光学ビームの所望の視野を前記標的範囲に提供するように構成される、第２のレンズと、
ｄ）第２の送信機アレイであって、前記第２の送信機アレイは、第２の複数の光学ビームを生成する第２の複数の光エミッタを備える、第２の送信機アレイと、
ｅ）第３のレンズであって、前記第３のレンズは、前記第３のレンズの焦点距離未満である前記第２の複数の光エミッタのうちの少なくとも１つからある距離において、前記第２の複数の光学ビームの光学経路内に位置付けられ、前記第３のレンズは、前記第２の複数の光学ビームを収束させ、ビームウェストを伴う第２の収束された光学ビームを形成する、第３のレンズと、
ｆ）第４のレンズであって、前記第４のレンズは、前記第２の収束された光学ビームの光学経路内の位置を有し、前記第４のレンズは、前記第２の収束された光学ビームを標的範囲に投影させ、前記第４のレンズの位置および前記第２の複数の光エミッタのうちの少なくとも１つの放出幅は、前記投影された第２の収束された光学ビームの所望の視野を前記標的範囲に提供するように構成される、第４のレンズと
を備え、
前記第１の送信機アレイの位置および前記第２の送信機アレイの位置は、前記ＬＩＤＡＲ送信機の所望の視野を前記標的範囲に提供するように選定される、ＬＩＤＡＲ送信機。
【請求項１６】
前記第１の送信機アレイの位置および前記第２の送信機アレイの位置は、均一光学ビームパターンを前記標的範囲に提供するように選定される、請求項１５に記載のＬＩＤＡＲ送信機。
【請求項１７】
前記第１の送信機アレイの位置および前記第２の送信機アレイの位置は、前記投影された第１の収束された光学ビームおよび前記投影された第２の収束された光学ビームとの間の間隙を備えるパターンを前記標的範囲に提供するように選定される、請求項１５に記載のＬＩＤＡＲ送信機。
【請求項１８】
前記第１の送信機アレイの位置および前記第２の送信機アレイの位置は、前記投影された第１の収束された光学ビームと前記投影された第２の収束された光学ビームとの間の重複を備えるパターンを前記標的範囲に提供するように選定される、請求項１５に記載のＬＩＤＡＲ送信機。
【請求項１９】
前記第１の複数の光学ビームの光学経路内の前記第１のレンズの中心の位置は、前記第１の送信機アレイの中心から第１の距離にあり、前記第２の複数の光学ビームの光学経路内の前記第３のレンズの中心の位置は、前記第２の送信機アレイの中心から第２の距離にあり、前記第１の距離および第２の距離は、異なる、請求項１５に記載のＬＩＤＡＲ送信機。
【請求項２０】
前記第１の送信機アレイおよび第２の送信機アレイは、共通基板上に位置付けられる、請求項１５に記載のＬＩＤＡＲ送信機。
【請求項２１】
第３の複数の光学ビームを生成する第３の複数の光エミッタを備える第３の送信機アレイをさらに備え、前記第１の送信機アレイと前記第２の送信機アレイとの間の距離は、前記第２の送信機アレイと前記第３の送信機アレイとの間の距離と異なる、請求項１５に記載のＬＩＤＡＲ送信機。
【請求項２２】
前記第１の送信機アレイ、第２の送信機アレイ、および第３の送信機アレイは、非均一間隔を伴って、共通基板上に位置付けられる、請求項２１に記載のＬＩＤＡＲ送信機。
【請求項２３】
前記第１の複数の光エミッタのうちの少なくとも２つは、異なる波長を伴う光を放出する、請求項１５に記載のＬＩＤＡＲ送信機。
【請求項２４】
前記第２の複数の光エミッタのうちの少なくとも２つは、異なる波長を伴う光を放出する、請求項２３に記載のＬＩＤＡＲ送信機。
【請求項２５】
前記第１の複数のエミッタのうちの少なくとも１つおよび前記第２の複数のエミッタのうちの少なくとも１つは、異なる波長を伴う光を放出する、請求項１５に記載のＬＩＤＡＲ送信機。
【請求項２６】
前記第１の送信機アレイおよび第２の送信機アレイのうちの少なくとも１つは、２次元アレイを備える、請求項１５に記載のＬＩＤＡＲ送信機。
【請求項２７】
前記第１の複数の光エミッタまたは第２の複数の光エミッタのうちの少なくとも１つは、複数のＶＣＳＥＬデバイスを備える、請求項１５に記載のＬＩＤＡＲ送信機。
【請求項２８】
前記複数のＶＣＳＥＬデバイスは、２次元ＶＣＳＥＬアレイを備える、請求項２７に記載のＬＩＤＡＲ送信機。
【請求項２９】
前記ＶＣＳＥＬデバイスは、上部放出型ＶＣＳＥＬデバイスである、請求項２７に記載のＬＩＤＡＲ送信機。
【請求項３０】
前記ＶＣＳＥＬデバイスは、底部放出型ＶＣＳＥＬデバイスである、請求項２７に記載のＬＩＤＡＲ送信機。
【請求項３１】
前記第２のレンズの位置および前記第１の複数の光エミッタのうちの少なくとも１つの放出幅は、前記投影された第１の収束された光学ビームの所望の視野を１８度よりも大きい前記標的範囲に提供するように構成される、請求項１５に記載のＬＩＤＡＲ送信機。
【請求項３２】
前記第１の送信機アレイおよび第２の送信機アレイは、前記標的範囲における前記ＬＩＤＡＲ送信機の角分解能が、０．２５度未満であるように構成される、請求項１５に記載のＬＩＤＡＲ送信機。
【発明の詳細な説明】
【背景技術】
【０００１】
本明細書で使用される見出しは、編成目的のみのためのものであって、本願に説明される主題をいかようにも限定するものとして解釈されるべきではない。
【０００２】
（関連出願）
本願は、２０１７年７月２８日に出願され、「ＶＣＳＥＬ  Ａｒｒａｙ  ＬＩＤＡＲ  Ｔｒａｎｓｍｉｔｔｅｒ  ｗｉｔｈ  Ｓｍａｌｌ  Ａｎｇｕｌａｒ  Ｄｉｖｅｒｇｅｎｃｅ」と題された、同時係属中の米国仮特許出願第６２／５３８，１４９号の非仮出願である。米国特許出願第６２／５３８，１４９号の全内容は、参照することによって本明細書に組み込まれる。
【０００３】
（導入）
自律的（自走運転）および半自律的自動車は、周囲の物体の検出および位置特定のために、レーダ、画像認識カメラ、およびソナー等の異なるセンサおよび技術の組み合わせを使用する。これらのセンサは、衝突警告、自動緊急ブレーキ、車線逸脱警告、車線維持支援、アダプティブクルーズコントロール、および自動運転を含む、運転者の安全性における多くの改良を可能にする。これらのセンサ技術の中でも、光検出および測距（ＬＩＤＡＲ）システムは、重要な役割を果たし、周囲環境のリアルタイム高分解能３Ｄマッピングを可能にする。
【発明の概要】
【課題を解決するための手段】
【０００４】
本教示は、光を反射および／または散乱させる種々の物体または標的までの距離を測定する、光検出および測距システム（ＬＩＤＡＲ）に関する。ＬＩＤＡＲシステムは、小占有面積、高測定分解能、および高検出感度を有することが望ましい。ＶＣＳＥＬアレイベースの送信機は、これらの利点を提供する有望性をもたらす。改良が、性能を増加させ、ＬＩＤＡＲシステムのサイズ、加重、電力、コスト、および複雑性を低減させるために、これらのＶＣＳＥＬアレイベースのＬＩＤＡＲ送信機の光学設計において必要とされる。一実施例として、コンパクトなパッケージ内の小角度発散を生産する、ＬＩＤＡＲ送信機設計が、必要とされる。
【０００５】
本教示は、好ましい例示的な実施形態に応じて、そのさらなる利点とともに、添付の図面を参照しながら、以下の詳細な説明においてさらに具体的に説明される。当業者は、以下で説明される図面は、説明のみを目的とすることを理解するであろう。図面は、必ずしも一定の縮尺ではなく、代わりに、概して、本教示の原則を説明することに重点が置かれている。図面は、出願人の教示の範囲をどのような点からも制限することを意図しない。
本発明は、例えば、以下を提供する。
（項目１）
光検出および測距（ＬＩＤＡＲ）送信機であって、
ａ）複数の光学ビームを生成する複数の光エミッタと、
ｂ）第１のレンズであって、前記第１のレンズは、前記第１のレンズの焦点距離未満である前記複数の光エミッタのうちの少なくとも１つからある距離において、前記複数の光学ビームの光学経路内に位置付けられ、前記第１のレンズは、前記複数の光学ビームをビームウェストを有する収束された光学ビームに収束させる、第１のレンズと、
ｃ）第２のレンズであって、前記第２のレンズは、前記収束された光学ビームの光学経路内に位置付けられ、前記第２のレンズは、前記収束された光学ビームを標的範囲に投影させる、第２のレンズと
を備え、
前記第２のレンズの位置および前記複数の光エミッタのうちの少なくとも１つの放出幅は、前記ＬＩＤＡＲ送信機の所望の視野を前記標的範囲に提供するように構成される、ＬＩＤＡＲ送信機。
（項目２）
前記第２のレンズの位置はさらに、前記標的範囲における前記ＬＩＤＡＲ送信機の角分解能を減少させるように選定される、項目１に記載のＬＩＤＡＲ送信機。
（項目３）
前記第２のレンズの開口のサイズは、前記収束された光学ビームのビームウェストのサイズと等しい、項目１に記載のＬＩＤＡＲ送信機。
（項目４）
前記複数の光エミッタは、光エミッタのアレイを形成する、項目１に記載のＬＩＤＡＲ送信機。
（項目５）
ある方向における前記収束された光学ビームのビームウェストのサイズは、前記ある方向における前記アレイのサイズ以下である、項目４に記載のＬＩＤＡＲ送信機。
（項目６）
前記光エミッタのアレイの中心光エミッタによって生成された光学ビームおよび前記光エミッタのアレイの最外光エミッタによって生成された光学ビームは、前記第２のレンズの開口を充填する、項目４に記載のＬＩＤＡＲ送信機。
（項目７）
前記複数の光エミッタのうちの少なくとも２つは、異なる波長を伴う光を放出する、項目１に記載のＬＩＤＡＲ送信機。
（項目８）
前記複数の光エミッタは、複数のＶＣＳＥＬデバイスを備える、項目１に記載のＬＩＤＡＲ送信機。
（項目９）
前記複数のＶＣＳＥＬデバイスは、２次元ＶＣＳＥＬアレイを備える、項目８に記載のＬＩＤＡＲ送信機。
（項目１０）
前記ＶＣＳＥＬデバイスは、上部放出型ＶＣＳＥＬデバイスとして構成される、項目８に記載のＬＩＤＡＲ送信機。
（項目１１）
前記ＶＣＳＥＬデバイスは、底部放出型ＶＣＳＥＬデバイスとして構成される、項目８に記載のＬＩＤＡＲ送信機。
（項目１２）
前記複数の光エミッタは、モノリシックＶＣＳＥＬアレイを備え、前記複数のＶＣＳＥＬデバイスのそれぞれは、共通基板上に形成される、項目８に記載のＬＩＤＡＲ送信機。
（項目１３）
前記第２のレンズの位置および前記複数の光エミッタのうちの少なくとも１つの放出幅は、前記ＬＩＤＡＲ送信機の所望の視野を１８度よりも大きい前記標的範囲に提供するように構成される、項目１に記載のＬＩＤＡＲ送信機。
（項目１４）
前記第２のレンズの位置はさらに、前記標的範囲における前記ＬＩＤＡＲ送信機の角分解能が、２．８度未満であるように選定される、項目１に記載のＬＩＤＡＲ送信機。
（項目１５）
光検出および測距（ＬＩＤＡＲ）送信機であって、
ａ）第１の送信機アレイであって、前記第１の送信機アレイは、第１の複数の光学ビームを生成する第１の複数の光エミッタを備える、第１の送信機アレイと、
ｂ）第１のレンズであって、前記第１のレンズは、前記第１のレンズの焦点距離未満である前記複数の光エミッタのうちの少なくとも１つからある距離において、前記第１の複数の光学ビームの光学経路内に位置付けられ、前記第１のレンズは、前記第１の複数の光学ビームを収束させ、ビームウェストを伴う第１の収束された光学ビームを形成する、第１のレンズと、
ｃ）第２のレンズであって、前記第２のレンズは、前記第１の収束された光学ビームの光学経路内に位置を有し、前記第２のレンズは、前記第１の収束された光学ビームを標的範囲に投影させ、前記第２のレンズの位置および前記第１の複数の光エミッタのうちの少なくとも１つの放出幅は、前記投影された第１の収束された光学ビームの所望の視野を前記標的範囲に提供するように構成される、第２のレンズと、
ｄ）第２の送信機アレイであって、前記第２の送信機アレイは、第２の複数の光学ビームを生成する第２の複数の光エミッタを備える、第２の送信機アレイと、
ｅ）第３のレンズであって、前記第３のレンズは、前記第３のレンズの焦点距離未満である前記第２の複数の光エミッタのうちの少なくとも１つからある距離において、前記第２の複数の光学ビームの光学経路内に位置付けられ、前記第３のレンズは、前記第２の複数の光学ビームを収束させ、ビームウェストを伴う第２の収束された光学ビームを形成する、第３のレンズと、
ｆ）第４のレンズであって、前記第４のレンズは、前記第２の収束された光学ビームの光学経路内の位置を有し、前記第４のレンズは、前記第２の収束された光学ビームを標的範囲に投影させ、前記第４のレンズの位置および前記第２の複数の光エミッタのうちの少なくとも１つの放出幅は、前記投影された第２の収束された光学ビームの所望の視野を前記標的範囲に提供するように構成される、第４のレンズと
を備え、
前記第１の送信機アレイの位置および前記第２の送信機アレイの位置は、前記ＬＩＤＡＲ送信機の所望の視野を前記標的範囲に提供するように選定される、ＬＩＤＡＲ送信機。
（項目１６）
前記第１の送信機アレイの位置および前記第２の送信機アレイの位置は、均一光学ビームパターンを前記標的範囲に提供するように選定される、項目１５に記載のＬＩＤＡＲ送信機。
（項目１７）
前記第１の送信機アレイの位置および前記第２の送信機アレイの位置は、前記投影された第１の収束された光学ビームおよび前記投影された第２の収束された光学ビームとの間の間隙を備えるパターンを前記標的範囲に提供するように選定される、項目１５に記載のＬＩＤＡＲ送信機。
（項目１８）
前記第１の送信機アレイの位置および前記第２の送信機アレイの位置は、前記投影された第１の収束された光学ビームと前記投影された第２の収束された光学ビームとの間の重複を備えるパターンを前記標的範囲に提供するように選定される、項目１５に記載のＬＩＤＡＲ送信機。
（項目１９）
前記第１の複数の光学ビームの光学経路内の前記第１のレンズの中心の位置は、前記第１の送信機アレイの中心から第１の距離にあり、前記第２の複数の光学ビームの光学経路内の前記第３のレンズの中心の位置は、前記第２の送信機アレイの中心から第２の距離にあり、前記第１の距離および第２の距離は、異なる、項目１５に記載のＬＩＤＡＲ送信機。
（項目２０）
前記第１の送信機アレイおよび第２の送信機アレイは、共通基板上に位置付けられる、項目１５に記載のＬＩＤＡＲ送信機。
（項目２１）
第３の複数の光学ビームを生成する第３の複数の光エミッタを備える第３の送信機アレイをさらに備え、前記第１の送信機アレイと前記第２の送信機アレイとの間の距離は、前記第２の送信機アレイと前記第３の送信機アレイとの間の距離と異なる、項目１５に記載のＬＩＤＡＲ送信機。
（項目２２）
前記第１の送信機アレイ、第２の送信機アレイ、および第３の送信機アレイは、非均一間隔を伴って、共通基板上に位置付けられる、項目２１に記載のＬＩＤＡＲ送信機。
（項目２３）
前記第１の複数の光エミッタのうちの少なくとも２つは、異なる波長を伴う光を放出する、項目１５に記載のＬＩＤＡＲ送信機。
（項目２４）
前記第２の複数の光エミッタのうちの少なくとも２つは、異なる波長を伴う光を放出する、項目２３に記載のＬＩＤＡＲ送信機。
（項目２５）
前記第１の複数のエミッタのうちの少なくとも１つおよび前記第２の複数のエミッタのうちの少なくとも１つは、異なる波長を伴う光を放出する、項目１５に記載のＬＩＤＡＲ送信機。
（項目２６）
前記第１の送信機アレイおよび第２の送信機アレイのうちの少なくとも１つは、２次元アレイを備える、項目１５に記載のＬＩＤＡＲ送信機。
（項目２７）
前記第１の複数の光エミッタまたは第２の複数の光エミッタのうちの少なくとも１つは、複数のＶＣＳＥＬデバイスを備える、項目１５に記載のＬＩＤＡＲ送信機。
（項目２８）
前記複数のＶＣＳＥＬデバイスは、２次元ＶＣＳＥＬアレイを備える、項目２７に記載のＬＩＤＡＲ送信機。
（項目２９）
前記ＶＣＳＥＬデバイスは、上部放出型ＶＣＳＥＬデバイスである、項目２７に記載のＬＩＤＡＲ送信機。
（項目３０）
前記ＶＣＳＥＬデバイスは、底部放出型ＶＣＳＥＬデバイスである、項目２７に記載のＬＩＤＡＲ送信機。
（項目３１）
前記第２のレンズの位置および前記第１の複数の光エミッタのうちの少なくとも１つの放出幅は、前記投影された第１の収束された光学ビームの所望の視野を１８度よりも大きい前記標的範囲に提供するように構成される、項目１５に記載のＬＩＤＡＲ送信機。
（項目３２）
前記第１の送信機アレイおよび第２の送信機アレイは、前記標的範囲における前記ＬＩＤＡＲ送信機の角分解能が、０．２５度未満であるように構成される、項目１５に記載のＬＩＤＡＲ送信機。
【図面の簡単な説明】
【０００６】
【図１】図１は、本教示による、ＬＩＤＡＲシステムの動作を図示する。
【０００７】
【図２】図２は、本教示による、２つのレーザを使用したＬＩＤＡＲシステムの実施形態を図示する。
【０００８】
【図３】図３は、本教示による、ＬＩＤＡＲ送信機のためのマルチエミッタレーザ源の実施形態を図示する。
【０００９】
【図４】図４は、本教示のＬＩＤＡＲ送信機のための照明器の実施形態の断面の略図を図示する。
【００１０】
【図５Ａ】図５Ａは、本教示の単波長２ＤマルチエミッタＬＩＤＡＲ送信機の実施形態のための測定点群を図示する。
【００１１】
【図５Ｂ】図５Ｂは、本教示による、２波長２ＤマルチエミッタＬＩＤＡＲ送信機の実施形態のための測定点群を図示する。
【００１２】
【図６】図６は、本教示のＬＩＤＡＲ送信機のいくつかの実施形態において使用される先行技術の底部放出型ＶＣＳＥＬレーザの構造の概略図の斜視図を図示する。
【００１３】
【図７】図７は、本教示による、２５の別個のレーザエミッタを伴う、２ＤモノリシックＶＣＳＥＬアレイの実施形態の概略図を図示する。
【００１４】
【図８】図８は、本教示による、サブ開口を備える２５の別個のレーザエミッタを伴う、２ＤモノリシックＶＣＳＥＬアレイの実施形態の概略図を図示する。
【００１５】
【図９】図９は、本教示による、単一レンズＬＩＤＡＲ送信機システムにおける、単一エミッタによって投影された光を図示する、概略図を図示する。
【００１６】
【図１０】図１０は、本教示による、単一レンズＬＩＤＡＲ送信機システム内の複数のエミッタによって投影された光の概略図を図示する。
【００１７】
【図１１Ａ】図１１Ａは、高角度発散エミッタを伴う、単一レンズＬＩＤＡＲシステム内の複数のエミッタによって投影された光の拡大図を示す、概略図を図示する。
【００１８】
【図１１Ｂ】図１１Ｂは、遠視野を示す、図１１Ａのシステムによって投影された光の縮小図を図示する、概略図を図示する。
【００１９】
【図１２】図１２は、本教示による、小角度発散ＬＩＤＡＲ送信機内の光を投影する２レンズ照明器の実施形態の概略図を図示する。
【００２０】
【図１３】図１３は、本教示による、複数送信機アレイ小角度発散ＬＩＤＡＲ送信機の実施形態の概略図を図示する。
【００２１】
【図１４Ａ】図１４Ａは、本教示による、単一基板上の複数の送信機アレイを利用する小角度発散ＬＩＤＡＲ送信機照明器の拡大図の概略図を図示する。
【００２２】
【図１４Ｂ】図１４Ｂは、図１４Ａの小角度発散ＬＩＤＡＲ送信機の縮小図の概略図を図示する。
【００２３】
【図１５】図１５は、送信機アレイ間の分離の相対的独立性を示す、本教示の小角度発散ＬＩＤＡＲ送信機の実施形態のスケーリングされた縮小図の概略図を図示する。
【００２４】
【図１６】図１６は、本教示による、複数の送信機アレイを使用した多波長ＬＩＤＡＲシステムのための照明器の実施形態を図示する。
【００２５】
【図１７】図１７は、図１６に関連して説明される照明器を用いて生成され得る、測定点群を図示する。
【発明を実施するための形態】
【００２６】
（様々な実施形態の説明）
ここで、添付の図面に示されているその例示的な実施形態を参照しながら、本教示をより詳細に説明する。本教示は、多様な実施形態および実施例に関連して説明されるが、本教示がそのような実施形態に限定されることを意図するものではない。そうではなく、本教示は、当業者によって理解されるように、種々の代替、修正、および均等物を包含する。本明細書の本教示を入手する権利を有する当業者は、本明細書に説明される本開示の範囲内にある、追加の実装、修正および実施形態、および他の使用分野を認識するであろう。
【００２７】
本明細書では、「一実施形態」または「ある実施形態」の言及は、実施形態に関連して説明される特定の特徴、構造、または特性が、本教示の少なくとも一実施形態に含まれることを意味する。本明細書内の種々の場所における語句「一実施形態では」の表出は、必ずしも全て同一実施形態を参照するわけではない。
【００２８】
本教示の方法の個々のステップは、本教示が動作可能のままである限り、任意の順序で実施されることができるおよび／または同時に実施されることができることを理解されたい。さらに、本教示の装置および方法は、本教示が動作可能のままである限り、説明される実施形態の任意の数または全てを含むことができることを理解されたい。
【００２９】
図１は、車両に実装される、本教示による、ＬＩＤＡＲシステム１００の動作を図示する。ＬＩＤＡＲシステム１００は、標的場面に向かって光源によって生成された光ビーム１０２を投影する、照明器とも称される、レーザプロジェクタと、その標的場面における人物１０６として示される物体から反射する光１０４を受信する、受信機とを含む。ＬＩＤＡＲシステムはまた、典型的には、物体１０６についての距離情報を反射光から算出する、コントローラと、所望の範囲および視野（ＦＯＶ）を横断して静的パターンであり得る、光の特定のパターンを走査または提供し得る、要素とを含む。受信機およびコントローラは、受信された信号光を、ＬＩＤＡＲシステム範囲およびＦＯＶ内にある周囲環境の点毎３Ｄマップを表す、測定値に変換するために使用される。種々の実施形態では、コントローラは、特定の用途に応じて、単純電気回路またはより複雑なプロセッサであることができる。
【００３０】
照明器および受信機を形成する、レーザ源および光学ビーム投影手段は、車両１０８の正面側に位置してもよい。人物１０６および／または車または電柱等の別の物体は、源から受信機に反射された光を提供し、その物体までの範囲または距離が、決定されるであろう。当技術分野において公知のように、ＬＩＤＡＲ受信機は、光源から放出される光パルスの飛行時間測定に基づいて、範囲情報を計算する。加えて、特定の範囲と関連付けられ、源およびプロジェクタシステムの特定の設計に基づく、標的平面内の場面を照明する、光学ビームプロファイルについての公知の情報が、反射表面についての場所情報を決定し、それによって、場面の完全なｘ、ｙ、ｚまたは３次元写真を生成するために使用される。言い換えると、周囲環境の点毎３Ｄマップは、ＬＩＤＡＲシステムの視野内の源からの照明を受信機に反射させる全ての表面からの位置情報を示す、測定データの集合を表す。このように、ＬＩＤＡＲシステムの視野内の物体の３Ｄ表現が、取得される。点毎３Ｄデータマップはまた、測定点群と称され得る。
【００３１】
本教示の１つの特徴は、照明器が、個々の明確に異なる波長を伴う光学ビームを放出する、レーザを含み得ることである。典型的には、ＬＩＤＡＲシステムは、異なるレーザ波長を利用せずに、ＬＩＤＡＲシステムの角分解能における改良を可能にする。特に、本教示のいくつかの実施形態のＬＩＤＡＲシステムの１つの特徴は、それらが、複数のレーザ波長を使用して、低コストかつコンパクトな光学設計において、より高精細の角分解能および性能を可能にすることである。さらに、本教示の多波長ＬＩＤＡＲシステムは、改良された安全性および並列化に対する単純経路を提供することができる。例えば、「Ｍｕｌｔｉ−Ｗａｖｅｌｅｎｇｔｈ  ＬＩＤＡＲ  Ｓｙｓｔｅｍ」と題され、２０１７年３月３日に出願された、米国特許出願第１５／４５６，７８９号と、「ＷＤＭ  Ｌｉｄａｒ  Ｓｙｓｔｅｍ」と題され、２０１６年９月１９日に出願された、米国特許出願第６２／３９６，２９５号とを参照されたい。米国特許出願第１５／４５６，７８９号および第６２／３９６，２９５号は両方とも、本譲受人に譲渡され、本明細書に参照することによって組み込まれる。
【００３２】
図２は、本教示による、２つのレーザを使用した多波長ＬＩＤＡＲシステム２００の実施形態を図示する。第１のレーザ２０２は、第１の波長において動作し、第２のレーザ２０４は、第２の波長において動作する。レーザは、ビームプロファイルをＬＩＤＡＲシステムのＦＯＶおよび範囲を横断して種々の標的平面に形成するために使用される、光学投影要素の一部を形成する、統合または別のコリメーション光学系（図示せず）を含んでもよい。照明器２０６はまた、光学ビームをさらに成形および投影し、特定のビームプロファイルを標的平面２１０に形成する、光学デバイス２０８を含むことができる。種々の実施形態では、異なるタイプの光学デバイスが、光学投影要素を形成するために使用されることができ、例えば、レンズ、回折光学系、プリズム、薄膜波長敏感デバイス、および部分反射ミラーのうちの１つ以上のものを含む。単一レンズまたはマルチレンズ光学要素が、使用されてもよい。
【００３３】
受信機２１２は、ＬＩＤＡＲシステムのＦＯＶおよび範囲内の種々の標的平面２１０において物体の表面から反射された光を受信する。異なる波長が、使用される場合、受信機２１２は、源２０２、２０４によって放出される２つの波長からの光を区別することが可能であり得る。この場合、各波長から反射された照明は、別個に処理される。コントローラ２１４は、受信された光を処理するために使用される。コントローラ２１４は、ＬＩＤＡＲデータを出力２１６に提供する。コントローラ２１４の複雑性は、ＬＩＤＡＲシステムの特定の構成に依存する。コントローラ２１４は、レーザ源２０２、２０４を制御するために使用されてもよい。種々の実施形態では、コントローラ２１４は、種々の電気回路、集積回路、マイクロプロセッサ、またはコンピュータを備えてもよい。同一または異なる波長を伴うＮ個のレーザを図２に示されるＬＩＤＡＲシステムに追加することは、比較的に簡単である。いくつかの実施形態では、光をコリメートし、所望のＦＯＶを提供する、付加的光学要素が存在する。
【００３４】
本明細書に説明されるような投影要素は、レーザビームまたは複数のレーザビームを特定の方向にコリメートまたは別様に成形および／または投影する、要素である。投影要素は、光学ビームの経路内に位置付けられる、１つ以上の光学デバイスを備えてもよい。これらのデバイスおよびその位置は、レーザ源から放出されるビームまたは複数のビームの初期形状および経路とともに、所望のビームプロファイルを生産し、これは、空間内の特定の点におけるビーム形状および／またはビーム位置の組み合わせである。ＬＩＤＡＲシステムの受信機における物体から反射された光の受信に応じて、システムは、照明器によって投影された光のパターンと、角分解能および視野を含む、その性能パラメータとに基づく、測定点群または点毎データマップを生成する。
【００３５】
本教示の１つの特徴は、コンパクトシステム内において異なる波長を使用して、異なるＬＩＤＡＲ  ＦＯＶ、範囲、および／または分解能を生産する能力である。２つ以上の波長における光ビームは、投影要素を形成するが、依然として、各波長における異なる範囲および／またはＦＯＶおよび／または分解能を表す測定点群をもたらす、異なるビームプロファイルを実現する、同一光学デバイスの少なくともいくつかを共有可能であってもよい。例えば、信号波長を使用する先行技術ＬＩＤＡＲシステムに関する１つの問題は、１００メートル範囲に到達するために要求される送出パワーが、非常に高く、近接近反射（例えば、数メートル）に関して、受信機が飽和することである。その結果、これらの先行技術ＬＩＤＡＲシステムは、物体の近傍に対して見通しがきかなくなる。本問題は、２波長システムを用いて解決されることができ、第１の波長は、１００メートル範囲のために使用されるが、第２の波長は、近接近測定のために意図された低パワーのみを有する。多波長測定は、並列コンピューティング能力を伴うコントローラを使用して、同時に実施されることができる。２つよりも多くの波長への本構成の拡張は、比較的に簡単である。
【００３６】
本教示の別の特徴は、付加的波長を伴うレーザがＬＩＤＡＲ測距以外の他の機能を実施するために追加され得ることである。例えば、付加的レーザが、ＬＩＤＡＲシステム内の光学デバイスの配向の測定を提供するために追加されることができる。付加的波長におけるこれらの源からの光は、光学ビームを投影および／または光学ビームを複製または走査する、要素の角度測定を提供するという唯一の目的を果たし得る。いくつかの実施形態では、ＭＥＭＳデバイスが、ビームを投影するために使用され、ミラー位置の直接フィードバックを有するために重要であり得る。適切な受信機測定システムと組み合わせられた別のレーザは、ミラー位置の直接角度測定を提供し得る。前述の実施形態の自然な拡張は、それぞれの場合において、同一波長の複数のレーザ、すなわち、各波長の単一レーザの代わりに、各波長のレーザの１Ｄまたは２Ｄアレイのいずれかを使用することであろう。
【００３７】
いくつかのシステムでは、単一の大レンズが、コリメートすることと、各ＶＣＳＥＬデバイスの投影角度を設定することとの両方のために使用される。単一レンズの代わりに、２つ以上のレンズも、共有レンズ構成の一部として使用され得ることに留意されたい。コリメーションおよび投影角度の両方のための共有光学系を使用する一側面は、レンズの中心軸に対するＶＣＳＥＬデバイスの側方位置と投影されたレーザビームのポインティング角度との間の直接マッピングが存在することである。同一または類似波長の２つのＶＣＳＥＬレーザ間の側方距離は、共有レンズシステムによって作成された投影角度における差異に対応するであろう。
【００３８】
さらに、ＶＣＳＥＬデバイスは、理想的点源ではなく、代わりに、有限側方サイズを有するため、全体的光学システムのＦＯＶもまた縮小させることなく光学系によって低減されることができない、付加的発散が存在するであろう。また、同一または類似波長を伴うレーザを使用する共有光学アプローチは、他のパラメータの中でもとりわけ、ＶＣＳＥＬの有限サイズ、コリメートされたビームの発散、ＶＣＳＥＬデバイスの数、およびＦＯＶに応じて、３Ｄ測定スパン内のビーム重複または間隙につながり得る。
【００３９】
本教示のＬＩＤＡＲシステムの１つの特徴は、放出開口のクラスタを伴うＶＣＳＥＬチップを使用して、これらのデバイスによって提供されるより高い光パワーおよび大径クラスタを利用することである。本明細書に説明されるように、ＶＣＳＥＬデバイスは、理想的点源ではなく、代わりに、有限側方寸法を有する。さらに、ＬＩＤＡＲ照明のために使用される高パワー上部放出ＶＣＳＥＬレーザは、典型的には、複数の発光サブ開口を使用して、要求される高パワー出力に到達する。これらの複数のサブ開口は、クラスタまたは群を形成し、理想的には、依然として、要求される電気光学効率を維持しながら、可能な限り物理的に近接して位置する。
【００４０】
いくつかの実施形態では、ＶＣＳＥＬアレイは、２次元アレイである。いくつかの実施形態では、ＶＣＳＥＬアレイは、モノリシックであって、レーザは全て、共通基板を共有する。種々の共通基板タイプが、使用されることができる。例えば、共通基板は、半導体材料であってもよい。共通基板はまた、セラミック材料を含んでもよい。
【００４１】
いくつかの実施形態では、ＶＣＳＥＬは、上部放出型ＶＣＳＥＬＳである。他の実施形態では、ＶＣＳＥＬは、底部放出型ＶＣＳＥＬＳである。個々のＶＣＳＥＬは、単一大放出開口を有し得るか、または個々のＶＣＳＥＬは、より大きい有効放出直径内の２つ以上のサブ開口から形成され得るかのいずれかである。サブ開口の群は、時として、クラスタとも称される、より大きい有効放出領域を形成する。
【００４２】
図３は、垂直方向に均一にインタリーブされた２つの異なるＶＣＳＥＬ波長を伴う、多要素エミッタレーザ源３００を図示する。図３に示される実施形態は、単一共通基板３０４を図示するが、複数の基板もまた使用され得ることが、当業者に明白となるであろう。６つのＶＣＳＥＬバー３０６、３０８が、存在する。バー３０６のクラスタＶＣＳＥＬデバイス３０２は、１つの共通波長において放出する。これらは、図中で「ＶＣＳＥＬλ１」と標識されるバー３０６である。暗色バー３０８のクラスタＶＣＳＥＬデバイス３０２は、異なる波長において放出する。バー３０８は、図中で「ＶＣＳＥＬλ２」と標識される。合計３０のクラスタＶＣＳＥＬデバイス３０２が、示される。
【００４３】
図３の多要素エミッタレーザ源３００と関連して使用される照明器が、所望されるＦＯＶにわたるビームのコリメーションおよび投影の両方のために共有レンズシステムを使用する。図４は、図３に示される多波長レーザ源を使用する、本教示の多波長ＬＩＤＡＲシステムのための照明器４００の実施形態の断面の略図を図示する。照明器４００は、マルチエミッタレーザ源４０２と、波長マルチプレクサ４０６および第１のレンズ４０８を備える、投影要素４０４とを含む。投影要素４０４は、レーザ源４０２から放出されるレーザビーム４１０、４１２を投影するために使用される。マルチエミッタレーザ源４０２のためのエミッタは、ＶＣＳＥＬ基板４１４上に位置する。
【００４４】
図４における投影要素４０４は、２つの光学デバイス４０６、４０８を備える。第１の光学デバイスは、２つの波長のうちの一方にあって、１つの光学経路からのレーザビーム４１０と、別の光学経路上の２つの波長の他方におけるレーザビーム４１２とを共通光学経路に組み合わせるように作用する、波長に敏感な光学系である、波長マルチプレクサ４０６である。いくつかの実施形態では、波長マルチプレクサは、一方の波長の光学経路を実質的に偏移させながら、第２の波長を妨害されずに通過させるように構成される、回折光学系を備える。回折光学要素は、当技術分野において周知であって、レーザの精密なビーム操向およびビーム成形を提供するために使用されることができる。いくつかの実施形態では、波長に敏感な回折光学要素が、使用される。他の実施形態では、プリズム等の屈折光学系のアレイが、使用される。第２のデバイスは、レーザビーム４１０、４１２をさらに投影および成形し、所望のパターンのビーム形状およびＬＩＤＡＲシステムの標的平面におけるビーム位置を形成するために使用される、レンズ４０８である。
【００４５】
図４は、異なる波長の２つのＶＣＳＥＬバーからの光が光学システムを通して進行する方法を図示する。明確にするために、２つのＶＣＳＥＬエミッタからのレーザビーム４１０、４１２のみが、光線トレースされて示される。図４は、単一レンズ４０８のみを図示するが、しかしながら、図４に図示される多波長システムとともに、例えば、下記の図１２に関連して説明されるような２レンズまたはマルチレンズシステムを実装する方法が、当業者に明白となるであろう。
【００４６】
動作時、照明器によって標的平面に形成されるビームプロファイルからの光は、その標的平面における物体の表面から反射される。ＬＩＤＡＲシステムにおける標的平面は、完全な範囲および視野にわたって動作する、仮想基準点である。システムが物体の３次元表現をＬＩＤＡＲシステムによってプローブされている視野および範囲内に生成し得るように、多くの異なる標的平面がＬＩＤＡＲモジュールからの種々の距離に存在する。標的平面において光学ビームプロファイルによって照明された物体の表面から反射された光の一部は、受信機に指向される。受信機は、光を検出し、次いで、受信された光学信号を電気信号に変換する。コントローラは、光源および受信機に電気的に接続され、受信された信号を測定点群に変換する。測定点群内の点の角分解能は、以下にさらに説明されるように、標的平面におけるビームプロファイルの相対位置に依存する。図４に図示される照明器４００の実施形態の多くの他の変形例も、本教示の範囲内にあることが、当業者に明白となるであろう。例えば、ＶＣＳＥＬレーザは、平面または湾曲のいずれかである、共通表面に位置してもよい。また、湾曲または平坦である中心表面からのＶＣＳＥＬのある程度の逸脱は、寛容され得ることが、当業者に明白となるであろう。
【００４７】
図５Ａは、本教示による、単波長２Ｄレーザ源照明の実施形態のための測定点群５００を図示する。測定点５０４の垂直間隔５０２間の距離は、垂直角分解能を決定する。点群上の点の水平間隔５０６は、点群の水平角分解能を決定する。
【００４８】
図５Ｂは、本教示の２波長２Ｄレーザ源照明の実施形態のための測定点群５５０を図示する。λ１を伴うＶＣＳＥＬに対応する測定点は、円形５５２として示され、λ２を伴うＶＣＳＥＬの測定点は、三角形５５４として示される。複合点群は、λ１において受信された反射から導出される点群と、λ２において受信された反射から導出される点群とを含む。
【００４９】
例えば、図５Ｂに図示される測定点群５５０は、図３に図示される異なる波長のＶＣＳＥＬエミッタのパターンを伴うマルチエミッタレーザ源を図４の照明器構成とともに使用して実現されることができる。標的平面において照明器によって生成された光学ビームからの光の一部は、物体の表面によって反射され、特定の波長における光を検出可能な１つ以上の光学受信機に入射する。結果として生じる測定点群５５０は、異なる波長における異なるビームプロファイルからの光を表す点を含む。
【００５０】
図３−５を参照すると、異なる波長のＶＣＳＥＬバー３０６、３０８は、レーザ源の異なる行を垂直方向に占有し、異なる行内の個々のＶＣＳＥＬデバイス３０２は、水平方向にオフセットされたその中心を有する。異なる波長バー内のエミッタからの光学ビームは、光学ビーム位置が標的平面において垂直方向に若干オフセットされるように、投影要素４０４によって投影される。これは、オフセット５５６を測定点群内に生じさせる。隣接するバー内のＶＣＳＥＬの中心位置におけるオフセットは、投影要素の設計とともに、各波長を表す測定点をオフセット垂直線に沿って水平にインタリーブさせる。所与の寸法における測定の角分解能は、その寸法における点のオフセットに直接関連し、これは、標的平面でのその寸法における光学ビームの位置に直接関連する。
【００５１】
図５Ａ−Ｂの両方を参照すると、２波長ソリューションの使用と関連付けられた性能トレードオフが、明白である。図５に示される実施形態では、１つの波長における光学ビームは、実質的に中断されずに進行するが、第２の波長における光学ビームは、第１の波長における光学ビームと１つの方向において実質的に重複する位置に意図的に偏移される。図５Ｂの図面に示される各波長における光学ビームの位置におけるオフセット５５６は、波長マルチプレクサの設計に基づいて調節されることができる。例えば、いくつかの実施形態では、図４における波長マルチプレクサ４０６は、具体的には、特定のオフセット５５６を各波長における光学ビームの位置に提供するように設計される。種々の実施形態では、投影要素内の種々のデバイスは、２つの波長におけるレーザのビームを位置付けるために使用される。これらの同一デバイスまたは他のデバイスは、ビーム形状と同様に、標的平面におけるその位置も改変し得る。
【００５２】
図５Ａの単一波長実施形態と比較して、図５Ｂに関連して説明される実施形態は、好ましい方向（この場合、水平方向）における角分解能を２倍にするが、垂直方向における角分解能を半分にすることを犠牲にする。これは、システムの全体的物理的サイズを比較的に一定に保ちながら遂行される。いくつかの用途では、例えば、歩行者の代わりに、システムがわずか１００ｍｍの断面を伴う電柱または木を区別する必要がある場合、１つの方向におけるより高精細の分解能が、好ましいまたは必要であり得る。３０ｍでは、０．１５度未満である、角分解能が、必要とされるであろう。自動車ＬＩＤＡＲシステムに関して、人間、電柱、および木等の認識される必要がある、一般的物体が、高さがあるが、幅が狭いため、垂直におけるより広い角分解能を犠牲にして、水平方向に非常に小角分解能を有することが、非常に所望され得る。いくつかの実施形態では、測定点群の角分解能は、標的平面から光学投影要素までの所定の距離において０．４度未満である。
【００５３】
本教示の１つの特徴は、異なる波長で動作する、単一要素エミッタおよび多要素エミッタ光源が、同一表面上に位置する必要がないことである。本教示の別の特徴は、表面が３次元空間内の異なる空間平面に沿って配向され得ることである。例えば、平面は、２つの直交平面上にあってもよい。いくつかの実施形態では、異なる波長を伴う少なくとも２つの群のレーザから成る複数の表面放出レーザを使用する。また、３次元空間を利用して、各群のレーザは、必ずしも直交ではない平面または湾曲である、２つ以上の表面に配向される。これらの実施形態では、レーザが共通表面上に共存する実施形態に関して、パッケージングおよび光学整合複雑性が増加するが、任意の妥協を伴わずに、両直交方向において全視野を横断して分解能角度を増加させることが可能である。これは、１つよりも多くの波長と関連付けられたより高い精度および全ての能力への完全アクセスの両方を提供する。すなわち、同時動作、冗長性、セキュリティ、および多波長動作の他の特徴を実現可能である。
【００５４】
本教示の１つの特徴は、本教示の小角度発散ＬＩＤＡＲ送信機が、特に、約１００メートルの範囲要件を伴って動作するＬＩＤＡＲに好適である、コンパクトなＬＩＤＡＲモジュールを提供することである。本教示の小角度発散ＬＩＤＡＲ送信機の別の特徴は、ソリッドステート光学エミッタを利用し得ることである。その結果、本教示のＬＩＤＡＲ送信機は、可動部分を利用せずに構築されることができる。加えて、同一または異なる波長を放出し得る、複数のレーザが、各レーザと３Ｄ測定点群との間の１対１のマッピングを確立するために使用されることができる。
【００５５】
図６は、本教示の小角度発散ＬＩＤＡＲ送信機内で使用され得る、公知の底部放出型ＶＣＳＥＬレーザ６００の構造の斜視図の概略図を図示する。ＶＣＳＥＬレーザ６００の放出面積は、典型的には、ｍＷ電力動作のための数ミクロン直径から、１００ｍＷおよびそれよりも大きいＣＷ電力動作のための１００ミクロン以上の直径に及ぶことに留意されたい。本教示の種々の実施形態は、上部放出型ＶＣＳＥＬ、底部放出型ＶＣＳＥＬＳ、および種々のタイプの高出力ＶＣＳＥＬを含む、種々の公知のＶＣＳＥＬレーザデバイスを使用する。ＶＣＳＥＬは、ＧａＡｓまたは他の半導体材料であり得る、基板６０２上に加工される。ｎ−型分布ブラッグ反射器（ＤＢＲ）６０４が、基板上に位置付けられる。活性領域６０６が、ｎ−型ＤＢＲ６０４上に構成された後、酸化物材料から作製され得る、開口６０８が続く。ｐ−型分散ブラッグ格子ＤＢＲ６１０が、次いで、活性領域６０６上に成長される。典型的には、ｐ−型ＤＢＲは、高度に反射性であって、ｎ−型ＤＢＲは、部分反射性であって、層構造の基板側である、底部からの光出力６１２をもたらす。活性領域６０６、酸化物開口６０８、およびｐ−型ＤＢＲ６１０は、メサ構造６１４内に形成される。上部接触６１６および底部接触６１８は、電流を活性領域６０６に提供し、出力光６１２を生成するために使用される。酸化物開口６０８は、電流閉じ込めを活性領域６０６に提供する。上部接点６１６は、ｐ−型であって、底部接点６１８は、ｎ−型である。放出開口６２０は、底部接点６１８内に形成され、出力光６１２が、底部放出型ＶＣＳＥＬ６００の基板側である、底部から出現することを可能にする。本タイプのＶＣＳＥＬは、単一要素であってもよい、または複数のＶＣＳＥＬＳが、基板６０２上の１次元アレイまたは２次元アレイとして加工されることができる。
【００５６】
図７は、本教示の２５の別個のレーザエミッタ７０２を伴う、２ＤモノリシックＶＣＳＥＬアレイ７００の実施形態の概略図を図示する。各レーザエミッタ７０２は、直径ａの放出開口７０４を有する。各単一レーザエミッタ７０２からの放出は、完全放出開口７０４を実質的に充填する。各レーザエミッタ７０２は、したがって、放出開口７０４の直径と等しい直径ａを伴うレーザビームを生成する。レーザエミッタ７０２は、間隔ｄｘ７０６を伴って、水平方向に均一に離間される。レーザエミッタ７０２は、間隔ｄｙ７０８を伴って、垂直方向に均一に離間される。最外レーザの中心から測定される、アレイの全体的サイズは、水平方向における距離Ｄｘ７１０および垂直方向における距離Ｄｙ７１２である。実際のチップサイズは、距離Ｄｘ７１０および距離Ｄｙ７１２より若干大きいであろう。
【００５７】
図８は、本教示の２５の別個のレーザエミッタ８０２を伴う、２ＤモノリシックＶＣＳＥＬアレイ８００の実施形態の概略図を図示する。各レーザエミッタ８０２は、直径ａの放出開口８０４を有する。各レーザエミッタ８０２は、電気的に接続され、１つとして作用する、複数のサブ開口８０３から形成され、その組み合わせられた放出は、寸法ａの放出開口８０４内に含有される。したがって、各レーザエミッタ８０２は、放出開口８０４の直径と等しい直径ａを伴うレーザビームを生成する。レーザエミッタ８０２は、間隔８０６、ｄｘを伴って、水平方向に均一に離間される。レーザエミッタ８０２は、間隔８０８、ｄｙを伴って、垂直方向に均一に離間される。最外レーザの中心から測定される、アレイの全体的サイズは、水平方向における距離８１０、Ｄｘおよび垂直方向における距離８１２、Ｄｙである。実際のチップサイズは、距離８１０、Ｄｘ、および距離８１２、Ｄｙより若干大きいであろう。図８は、円形の放出形状を伴う、レーザエミッタを図示する。種々の実施形態では、エミッタは、種々の形状を伴うビームを生産してもよい。例えば、卵形、正方形、長方形、および種々の独特な形状が、実現され得る。本放出幅は、特定の方向における形状の幅であって、下記にさらに説明されるように、その特定の方向におけるＬＩＤＡＲ送信機の角度発散を決定するであろう。
【００５８】
本教示のいくつかの実施形態は、図７に示される構成等のレーザあたり単一の大開口を伴う、ＶＣＳＥＬの底部放出型高出力アレイを利用する。本教示の他の実施形態は、図８に示されるようなサブ開口を備える大開口を伴う、ＶＣＳＥＬの上部放出型高出力アレイを利用する。しかしながら、当業者は、本教示が、上部および底部放出型ＶＣＳＥＬおよび関連付けられた放出開口のこれらの構成に限定されないことを理解されるであろう。
【００５９】
先行技術システムは、全ての伝送要素のための単一共有レンズを使用して、各レーザと具体的測定点および／または投影された角度との間の１対１のマッピングを生成する。例えば、５つのレーザとともに、単一投影レンズを利用して、明確に異なる角度間隔を伴う、５つの別個の投影されたビームを形成するステップを説明する、米国特許第７，５４４，９４５号を参照されたい。単一投影レンズは、２つの機能を提供する。第１の機能は、レーザビームをコリメートし、遠視野におけるビームのスポットサイズを決定することである。スポットサイズは、要求される範囲におけるＬＩＤＡＲシステムの要件によって設定される。例えば、ＬＩＤＡＲシステムのための典型的要件は、１００ｍにおけるレーザスポットが０．５ｍ直径より小さくあるべきであることである。これは、５ｍｒａｄの完全角度発散に相当する。光学レンズの第２の機能は、ＬＩＤＡＲシステムの範囲における遠視野内の２つの最外ビームの位置によって設定される、投影されたレーザビームのための完全視野を決定することである。各測定ビーム間の角分解能が、次いで、各方向におけるレーザの数Ｎ−１によって除算される、完全視野を求めることによって決定される。
【００６０】
先行技術の単一投影レンズＬＩＤＡＲシステムの１つの不利点は、それらがレーザエミッタの放出開口の有限サイズを考慮していないことである。単一投影レンズを利用するシステムでは、レーザは、レーザビームをコリメートするために、単一投影レンズの焦点に設置される。
【００６１】
図９は、単一レンズＬＩＤＡＲ送信機システム９００によって投影された光の概略図を図示する。レンズ９０２は、レーザエミッタの平面９０６に対して焦点距離９０４、ｆに設置される。距離９０８、ｙ１は、放出されるレーザビームの半径である、放出幅の半分を表す。角度９１０、θ１は、放出されるレーザビームの発散である。古典的光学から、光学不変量ルールは、ビーム半径とビーム発散の積が一定となるであろうことを示す。したがって、レンズ後のレーザビーム半径９１２は、ここでは、ｙ２であって、発散９１４は、θ２であって、θ１＊ｙ１＝θ２＊ｙ２となる。また、幾何学形状から、焦点距離９０４、ｆが、方程式：ｙ２＝ｆ＊θ１によって、ｙ２に関連することが分かる。これらの２つの方程式を組み合わせることで、次いで、関係θ２＝ｙ１／ｆが求められることができる。本関係は、コリメートされたビームの角度発散が、単一レンズＬＩＤＡＲ送信機内のレンズの焦点距離に直接関連することを示す。関係はまた、角度発散がどのようにエミッタサイズの幅および円形形状の開口に関する関連付けられた半径に依存するかを示す。本関係は、放出するレーザビームの特定のサイズのために要求されるレンズ焦点距離に関する最小サイズ制約を設定する。例えば、典型的高出力ＶＣＳＥＬは、１００ミクロンの有効放出直径を伴う、丸みを帯びた形状を有する。したがって、ｙ１は、５０ミクロンと等しい。１００ｍＬＩＤＡＲシステムのための本明細書に説明される基準を満たすために、５−ｍｒａｄ発散（完全角度）未満が存在すべきである。投影レンズシステムの最小焦点距離は、次いで、２０ｍｍである。
【００６２】
本明細書に説明される実施例は、概して、丸みを帯びた放出形状および球状レンズを伴う、円形対称システムを仮定する。しかしながら、本教示は、他の形状および幾何学形状を有する放出形状およびレンズ形状にも適用されることが、当業者に明白となるでろう。説明される幅および焦点距離関係は、次いで、特定の方向に適用される。例えば、円筒形および／または球状レンズを備える、長方形エミッタおよび／またはレンズシステムが、使用されることができる。選択肢は、標的範囲における所望のビームパターンに依存するであろう。例えば、システムは、水平および垂直方向に異なる視野および角分解能を伴って構成されてもよい。
【００６３】
上記の分析では、小角度および薄レンズを仮定する、古典的光学公式を使用した。寸法または角度が、大きい場合（コンパクトな送信機設計において一般的である）、古典的光学公式は、必ずしも、予測される角度発散および取得される視野の十分な正確度を提供しないであろう。これらの場合では、完全３次元電磁モデルが、好ましい。
【００６４】
図１０は、単一レンズＬＩＤＡＲ送信機システム内の複数のエミッタによって投影された光の概略図１０００を図示する。単一投影レンズ１００２が、基板１００６上において、ＶＣＳＥＬレーザエミッタ１００４のアレイからある距離に据え付けられる。図１０は、アレイ状レーザ送信機システムによって投影された光を図示し、ＶＣＳＥＬレーザエミッタ１００４を幅ａの放出開口を伴う有限源として完全に表す。図１０では、最外レーザの中心間距離１００８、Ｄは、２つの最外投影ビーム１０１２、１０１４間の中心間角度オフセットである、視野角１０１０、βにマッピングされる。レーザが位置する、レンズの焦点面における各垂直位置は、一意の角度投影角度にマッピングされる。したがって、寸法ａの有限放出開口の源に関して、ビーム発散は、ａ＊（β／Ｄ）とほぼ等しい結果となるであろう。
【００６５】
図１０を参照すると、ＶＣＳＥＬアレイに関する典型的間隔ｄは、２５０ミクロンであって、したがって、最外エミッタの中心間距離１００８、Ｄは、１．２５ｍｍであろう。１００ミクロンの放出開口直径ａおよび５ｍｒａｄの最大発散完全角度を仮定すると、レンズの完全視野１０１０、βは、６２．５ｍｒａｄ（３．５８度）よりも大きいことができないことが計算され得る。３．５８度より大きい視野が、レンズによって生成される場合、レーザ放出面積の有限サイズに起因するレーザビームの発散は、５ｍｒａｄ完全角度を超えるであろう。
【００６６】
図１０のＶＣＳＥＬレーザエミッタの固有の発散は、約２度である。本低発散は、レーザビームが、主として、アレイ基板１００６の平面から出現し、レンズを通して遠視野に向かって進むにつれて、それら全てが交差し、ビームウェストを形成する、レンズの右側の点１０１６を除き、分離されたまま保つ。
【００６７】
図１１Ａ−Ｂは、より典型的なより大きいビーム発散構成を示す。図１１Ａは、高角度発散エミッタを伴う単一レンズＬＩＤＡＲシステム内の複数のエミッタによって投影された光の拡大図の概略図１１００を図示する。図１１Ｂは、図１１Ａのシステムによって投影された光の縮小図の概略図１１５０を図示し、遠視野を図示する。両図では、エミッタアレイ１１０２、１１５２は、個別のレンズ１１０４、１１５４を照明する。各エミッタ１１０６、１１５６は、図１０に示される実施例と比較して比較的に広発散を伴う、レーザビーム１１０８、１１５８を生産する。レンズ１１０４、１１５４は、個別の放出されるビーム１１０８、１１５８を収束させ、ビームウェスト１１１０、１１６２を生産する。図１１Ａ−Ｂは、レーザビームが約２０度のより典型的ＶＣＳＥＬ発散を得ようとするであろう様子を示す。本構成では、ビーム１１０８、１１５８は、示されるように、レンズ１１０４、１１５４において有意に重複する。また、ビームが完全に別個である、位置１１６０は、図１１Ｂに示されるように、図１０の実施例と比較して、レンズ１１５４からはるかに離れている。ＶＣＳＥＬの固有の発散は、アレイのサイズとともに、本単一レンズシステムのための最小レンズ開口を決定するであろうことが分かる。発散が大きいほど、アレイのサイズのサイズが大きくなり、ＶＣＳＥＬアレイによって放出されるレーザビームを切断するために要求される最小開口が大きくなる。
【００６８】
したがって、ＬＩＤＡＲ送信機に関して、次いで、ＶＣＳＥＬアレイの開口および／またはサブ開口によって放出される一連のレーザビームを含む遠視野内の標的範囲における、伝送ビーム内の発散には、２つの主要な原因を有することになる。最終ビーム発散の１つの源は、レーザ放出面積のサイズおよびレンズシステムの焦点距離の関数である。最終ビーム発散の第２の源は、レーザ放出サイズおよびレンズの投影された視野の関数である。本教示の１つの特徴は、同じ焦点距離を伴うが、異なる投影された視野を伴う、異なるレンズシステムが設計され得るという認識である。
【００６９】
本教示による光検出および測距の方法は、多波長光学ビームであり得る、複数の光学ビームを生成するステップを含む。第１のレンズは、第１のレンズの焦点距離未満である、複数の光エミッタのうちの少なくとも１つからある距離において、複数の光学ビームの光学経路内に位置付けられる。第１のレンズは、複数の光学ビームをビームウェストを有する収束された光学ビームに収束させる。第２のレンズは、収束された光学ビームを標的範囲に投影するように、収束された光学ビームの光学経路内に位置付けられる。第２のレンズの位置はさらに、標的範囲におけるＬＩＤＡＲ送信機の角分解能を減少させるように選択されることができる。また、いくつかの方法では、第２のレンズの開口のサイズは、収束された光学ビームのビームウェストのサイズと等しくなるように選定される。第２のレンズの位置および複数の光エミッタのうちの少なくとも１つの放出幅は、ＬＩＤＡＲ送信機の所望の視野を標的範囲に提供するように選択される。
【００７０】
図１２は、本教示の小角度発散ＬＩＤＡＲ送信機１２００内の光を投影するレンズシステムの実施形態の概略図を図示する。第１のレンズ１２０２は、複数の個々のレーザエミッタ１２０６を備える、ＶＣＳＥＬレーザアレイ１２０４に非常に近接近して設置される。第１のレンズ１２０２は、第１のレンズの焦点距離と等しい距離よりエミッタの近くに設置されてもよい。図は、個々のレーザエミッタ１２０６によって放出される、レーザビーム１２０２、１２１０を図示する。中心レーザビーム１２０８および外側レーザビーム１２１０のみが、示される。しかし、アレイ内の全てのレーザエミッタ１２０６が、所望に応じて、レーザビームを生産してもよい。
【００７１】
第２のレンズ１２１２は、第１のレンズ１２０２後に位置付けられ、レーザビーム１２０８、１２１０を遠視野位置１２１４に投影し、個々の送信機からのレーザビームは、公称上、分離される。第１のレンズ１２０２は、レーザビーム１２０８、１２１０の所望の収束を第２のレンズ１２１２に生産する、アレイから特定の距離１２１６に設置される。第２のレンズ１２１２は、第１のレンズ１２０２から特定の距離１２１８に設置され、所望の視野を標的範囲である所望の遠視野位置１２１４に生産する。
【００７２】
図１２に示されるように、第１のレンズ１２０２は、ビームを収束させ、レーザビーム１２１０を最外ＶＣＳＥＬエミッタ１２２０から内向きに方向転換させるように作用し、これは、単一レンズシステムと比較して、第２のレンズ１２１２のためのより小さい最小レンズ開口を生産する。これは、物理的送信機が、第２のレンズ１２１２の最小レンズ開口がシステム内の最大レンズのサイズを決定するため、より小さいサイズであり得ることを意味する。本実施例では、収束させる第１のレンズ１２０２によって生産されたビームウェストは、第２のレンズ１２１２の位置に形成され、第２のレンズの開口は、ビームウェストのサイズと等しい。エミッタによって生産されたビームのそれぞれは、第２のレンズの開口を充填する。
【００７３】
この２レンズ構成は、同じ焦点距離を伴う単一レンズシステムと比較して、出力ビームの要求される低発散を維持しながら、有意に改良された性能を有する。この２レンズ構成はまた、有利には、ＬＩＤＡＲ送信機のサイズを最小限にする。加えて、２レンズシステムの投影角度は、レンズシステムの全体的焦点距離を変化させずに、変動されることができる。この２レンズシステム内のレンズ表面の曲率は、焦点距離を維持する一方、異なる視野を可能にする、付加的自由度を提供するように調節されることができる。本付加的自由度はまた、視野の調節を可能にし、必要に応じて、個々の放出されるレーザビームの発散を最小限にする一方、送信機のための全体のコンパクトなサイズを維持する。
【００７４】
本明細書に説明されるように、個々のレーザエミッタの伝送されるレーザビームの発散は、レンズシステムの結果として生じる視野を決定する際の重要な要因である。いったん最大視野が、最大発散に基づいて決定されると、システムの角分解能が、次いで、アレイ内の個々のレーザ間の間隔によって決定され、これは、個々の放出幅より小さくあることはできない。
【００７５】
本教示の小角度発散ＬＩＤＡＲ送信機は、特定のセンサ用途の必要性に対処するために要求される特定の視野および角分解能を実現する、種々の設計において構成されることができる。例えば、いくつかの自動車用途は、５ミリラジアン半角の最大発散を要求する。視野、発散、および開口サイズは全て、関連する。さらに、エミッタ放出幅、エミッタピッチ、およびアレイサイズも、重要である。１つの特定の実施形態では、１２５ミクロンの放出幅、２５０ミクロンのレーザピッチ、および５ｍｒａｄの最大半角発散を伴う、１６×１６要素の２次元アレイが、第１のレンズがアレイから第１のレンズの焦点距離未満の位置に設置される、２レンズシステムを使用することによって、１８．３度の視野のために構成される。本教示を使用したより大きい視野も、例えば、より小さい放出幅を使用して、可能性として考えられる。
【００７６】
角分解能は、視野をアレイサイズによって除算することによって決定される。最小可能放出幅エミッタの使用は、アレイ内のより多くの要素、故に、最小可能角分解能を意味する。１次元における１６要素アレイ、５０ミクロンの放出幅、２５０ミクロンのレーザピッチ、および５ｍｒａｄの最大半角発散を伴う、１つの特定の実施形態が、４５．８度の視野のために構成される。本構成のための角分解能は、２．８度である。より小さい分解能も、例えば、より小さいピッチを伴うさらなるアレイ要素を使用して、可能性として考えられる。
【００７７】
種々の実施形態では、視野および角分解能は、異なる方向において異なり得、例えば、いくつかのシステムでは、水平視野および角分解能は、垂直視野および角分解能と異なる。
【００７８】
本教示の１つの特徴は、２レンズ投影システムのコンパクトなサイズおよび他の設計特徴が、複数の送信機アレイが単一送信機システムの中に組み合わせられることを可能にすることである。図１３は、本教示による、複数の送信機アレイ１３０２、１３０４、１３０６を利用する小角度発散ＬＩＤＡＲ送信機１３００内の光を投影するレンズシステムの実施形態の概略図を図示する。図１３では、いくつかの送信機アレイ１３０２、１３０４、１３０６が、組み合わせられたより広い視野１３０８を網羅するために使用される。個々のＶＣＳＥＬエミッタはそれぞれ、送信機アレイ１３０２、１３０４、１３０６を使用し、３次元空間（ｘ、ｙ、ｚ）内の送信機アレイ１３０２、１３０４、１３０６の設置は、ビームが、遠視野内の全体的均一パターンまたは所望の重複または間隙を伴うパターン等の所望のパターンで組み合わせられることを可能にする。
【００７９】
例えば、送信機アレイ１３０２、１３０４、１３０６の位置は、標的範囲におけるビームのパターンが、第１の送信機アレイ１３０２からのビームおよび第２の送信機アレイ１３０４からのビームが標的平面に間隙を形成するように配置されるように選定されてもよい。代替として、送信機アレイ１３０２、１３０４、１３０６の位置は、標的範囲におけるビームのパターンが、第１の送信機アレイ１３０２からのビームおよび第２の送信機アレイ１３０４からのビームが標的平面において重複するように配列されるように選定されてもよい。加えて、送信機アレイ１３０２、１３０４、１３０６の位置は、標的範囲におけるビームのパターンが、第１の送信機アレイ１３０２からのビームおよび第２の送信機アレイ１３０４からのビームが標的平面において光の均一パターンを形成するように配列されるように選定されてもよい。送信機アレイと、送信機アレイから出現する複数のビームを収束および投影する関連付けられた光学レンズとの相対的位置は、種々のパターンが標的平面に投影されることを可能にすることが、当業者に明白となるであろう。
【００８０】
いくつかの実施形態では、複数の送信機アレイは、標的範囲においてレーザビームの所望のパターンを生産するための全６つの次元を使用して、個々の送信機の位置（ｘ、ｙ、ｚ）および指向角度を物理的に調節することによって、より広いまたはより狭い視野を被覆するために使用される。標的範囲におけるレーザビームの種々のパターンは、ＬＩＤＡＲシステム内で利用されるとき、関連付けられた所望の測定点群を生産する。
【００８１】
一実施形態では、少なくとも２つの送信機アレイは、ビームが標的範囲において実質的に重複するように位置付けられる。本実施形態では、２送信機システムの視野は、各送信機アレイおよびレンズシステムの視野と同一である。２つよりも多いアレイを伴うシステムもまた、標的範囲における実質的に完全に重複するパターンとともに構成されることができる。そのような配列は、改良された角分解能につながる。複数のエミッタアレイを使用した本教示の実施形態は、最先端エミッタアレイ技術を使用して、０．２５度未満の角分解能を達成することが可能である。
【００８２】
本教示の１つの特徴は、複数の送信機アレイが、単一基板上に設置されることができることである。各送信機アレイは、異なる形状および間隔を有することができ、各送信機アレイ間の間隔もまた、基板上で変動されることができる。図１４Ａは、本教示の単一基板上で複数の送信機アレイを利用する小角度発散ＬＩＤＡＲ送信機内の光を投影するレンズシステムの実施形態の拡大図の概略図を図示する。
【００８３】
図１４Ｂは、図１４Ａの小角度発散ＬＩＤＡＲ送信機内の光を投影するレンズシステムの実施形態の縮小図の概略図を図示する。複数の送信機アレイ１４０２、１４０４、１４０６、１４０８は、共通基板１４１０上に位置付けられる。各送信機アレイ１４０２、１４０４、１４０６、１４０８は、関連付けられた第１のレンズ１４１２、１４１４、１４１６、１４１８と、第２のレンズ１４２２、１４２４、１４２６、１４２８とを有する。明確にするために、図１４Ａ−Ｂは、各ＶＣＳＥＬエミッタによって放出される完全発散レーザビームを示さず、代わりに、３つのＶＣＳＥＬエミッタの中心からの単一光線が、本教示の概念を図示するために示される。送信機アレイ１４０２、１４０４、１４０６、１４０８毎に、上部外側エミッタ１４３２、１４３４、１４３６、１４３８からの単一光線が、示される。また、送信機アレイ１４０２、１４０４、１４０６、１４０８毎に、底部外側エミッタ１４４２、１４４４、１４４６、１４４８からの単一光線が、示される。送信機アレイ１４０２、１４０４、１４０６、１４０８毎に、中心外側エミッタ１４５２、１４５４、１４５６、１４５８からの単一光線が、示される。図１４Ａ−Ｂの実施形態は、複数のアレイ送信機１４０２、１４０４、１４０６を使用して、角分解能を増加させる。基板上で単一ＶＣＳＥＬアレイを使用する、単一送信機アレイに関して、角分解能は、視野およびアレイ内の個々のレーザエミッタの数によって設定される。より稠密な角分解能が、所望される場合、複数の送信機は、出力ビームを所望の範囲における遠視野内で重複させることによって、組み合わせられることができる。
【００８４】
図１４Ａは、共通基板１４１０に取り付けられる、４つの送信機アレイ１４０２、１４０４、１４０６、１４０８を図示する。共通基板は、必要ではないが、組立の容易性の観点から所望され得る。半導体材料またはセラミック材料から形成されるものを含む、種々の公知の共通基板が、使用されてもよい。共通基板は、印刷回路基板（ＰＣＢ）であってもよい。いくつかの実施形態では、送信機アレイのうちのいくつかは、１つの共通基板、例えば、単一半導体またはセラミックキャリア基板を共有する。他の実施形態では、送信機アレイは、異なる共通基板上にあって、次いで、アレイを伴うこれらの２つの共通基板は、第３の共通基板、例えば、ＰＣボード上に設置される。
【００８５】
４つの送信機アレイ１４０２、１４０４、１４０６、１４０８はそれぞれ、示されるように、各送信機アレイ１４０２、１４０４、１４０６、１４０８に対応する、第１のレンズ１４１２、１４１４、１４１６、１４１８と、第２のレンズ１４２２、１４２４、１４２６、１４２８とを備える、その独自の対応するレンズシステムを有する。４つの送信機アレイ１４０２、１４０４、１４０６、１４０８から発出するレーザビームは、その対応する送信機アレイ１４０２、１４０４、１４０６、１４０８の位置に対する、第１のレンズ１４１２、１４１４、１４１６、１４１８および第２のレンズ１４２２、１４２４、１４２６、１４２８を備える、４つのレンズシステムのそれぞれの位置を調節することによって、重複し、組み合わせられる。各送信機内の第２のレンズ１４２２、１４２４、１４２６、１４２８の位置は、各対応する送信機アレイ１４０２、１４０４、１４０６、１４０８の中心からＰ１、Ｐ２、Ｐ３、およびＰ４の異なる半径方向オフセット１４５２、１４５４、１４５６、１４５８に示される。送信機アレイ１４０２、１４０４、１４０６、１４０８毎の第１のレンズ１４１２、１４１４、１４１６、１４１８もまた、その関連付けられた送信機アレイ１４０２、１４０４、１４０６、１４０８の中心から半径方向にオフセットされることができる。これらのオフセットは、各送信機アレイ１４０２、１４０４、１４０６、１４０８が、所望のビームパターンを標的範囲において達成することを可能にするであろう。正確な半径方向オフセット値は、必要に応じて、ある範囲におけるＬＩＤＡＲシステムによって要求される具体的視野角パターンを作成するように選定される。これらの半径方向オフセット値は、典型的には、等しくないが、特定の実施形態では、等しくあることができる。
【００８６】
本教示の１つの特徴は、別個のＶＣＳＥＬアレイ間の側方オフセットが、標的範囲における組み合わせられるビームパターンを決定するために重要ではないことである。図１４Ａは、Ｓ１、Ｓ２、およびＳ３の値を伴う、側方オフセット１４６０、１４６２、１４６４を図示する。１００ｍの典型的範囲を伴うＬＩＤＡＲシステムのためのＳ１、Ｓ２、およびＳ３の正確な値は、オフセットが距離に伴って拡大されないため、重要ではない。多くの実施形態では、わずか数メートル後、図中の側方オフセット１４６０、１４６２、１４６４によって表される、アレイ間の初期オフセットは、アレイ毎のレンズシステムによって設定される投影角度の差異に起因するオフセットと比較して、もはや有意ではない。図１４Ｂの縮小図は、ビームが遠視野内で組み合わせられる方法の表現を表す。
【００８７】
アレイの側方オフセットに基づく本教示のレンズシステムのための投影された視野パターンの相対的独立性は、図１５に示される構成によって図示される。図１５は、本教示の小角度発散ＬＩＤＡＲ送信機の実施形態のスケーリングされた縮小および拡大図の概略図を図示し、送信機アレイ間の分離の相対的独立性を示す。図１５は、組み合わせられているレーザビームのスケール実施例を図示する。拡大図および縮小図が、示される。１つの構成では、初期側方オフセットは、拡大図１５０２および縮小図１５０４において、１０ｍｍと等しい。別の構成では１５０６、初期側方オフセットは、拡大図１５０６および縮小図１５０８において、２０ｍｍと等しい。
【００８８】
１つの特定の実施形態では、ＶＣＳＥＬアレイ毎のレーザビームは、２度オフセットされ、最終ビームパターン内のレーザビームが、遠視野において１度ずつ均一にオフセットされるように、送信機間に１度のオフセットが存在する。約５ｍでは、遠視野パターンには実質的差異が存在しないことが分かる。
【００８９】
本教示の１つの特徴は、レンズシステムが、遠視野内のビームの発散およびステップサイズまたは位置の両方を制御することが可能であることである。公知のＬＩＤＡＲ投影システムは、典型的には、ステップサイズのみを制御し、独立して、遠視野内のビームの発散およびステップサイズまたは位置の両方を制御する能力を有していない。さらに、本教示のＬＩＤＡＲシステムは、付加的光学要素を使用することによって、遠視野パターンの付加的ビーム制御を導入することができる。特に、第１のレンズを送信機アレイに近接近して位置付けることによって、本教示のレンズシステムは、光学システムの焦点から独立して、異なるステップサイズを提供する。
【００９０】
本教示のＬＩＤＡＲシステムの１つの特徴は、波長を使用して、標的範囲における遠視野内で生成されたレーザビームパターンおよびＬＩＤＡＲシステム内の関連付けられた測定点群の制御を提供する能力である。図１６は、本教示の複数の送信機アレイを使用した多波長ＬＩＤＡＲシステムのための照明器１６００の実施形態を図示する。本実施形態では、異なる波長ＶＣＳＥＬ  λ１  １６０２およびＶＣＳＥＬ  λ２  １６０４を伴う少なくとも２つのレーザ群を備える、複数の表面放出レーザアレイが、使用される。
【００９１】
本教示のＬＩＤＡＲシステムの別の特徴は、３次元空間の使用である。ＶＣＳＥＬ  λ１  １６０２およびＶＣＳＥＬ  λ２  １６０４は、相互に直交する、２つの表面に配向される。当業者は、種々の３次元（Ｘ、Ｙ、およびＺ）自由度および／またはＶＣＳＥＬ１６０２、１６０４の角度を含む６次元自由度（Ｘ、Ｙ、Ｚ、ピッチ、ヨー、およびロール）が本教示のＬＩＤＡＲシステムにおいて使用されることができることを理解されるであろう。ビームは、１つの波長を通過させる一方、第２の波長を反射させる、波長マルチプレクサ１８０６の使用によって、組み合わせられる。
【００９２】
波長マルチプレクサ１６０６は、例えば、第１の波長が偏向されずに通過することを可能にする一方、第２の波長が４５度で偏向され、出力ビームが組み合わせられる、薄膜フィルタの使用によって、実現されることができる。便宜上、マルチプレクサ１６０６を三角形断面の２つの等しいプリズムによって形成される立方体の形状で示し、波長を反射または通過させる薄膜フィルタは、２つの三角形プリズムが触れる立方体の中心平面に位置する。
【００９３】
ＶＣＳＥＬ  λ１  １６０２およびＶＣＳＥＬ  λ２  １６０４の２つの基板の位置は、波長マルチプレクサ１６０６に対して側方に偏移され、２つのビームの所望の重複またはインタリーブを作成することができる。図１７は、図１６の照明器実施形態とともに生成され得る、測定点群１７００を図示する。異なる波長を伴うレーザエミッタの使用は、ここに図示される構成に限定されないことが、当業者に明白となるであろう。異なる波長は、各アレイと関連付けられてもよい、または異なる波長は、種々のパターンにおいて単一アレイから放出されてもよい。加えて、アレイは、アレイ毎に異なる放出角度を含む、種々の３Ｄ空間パターンで構成されてもよい。
【００９４】
本教示の１つの特徴は、光学投影システムが、エミッタアレイを形成するＶＣＳＥＬレーザの有限放出面積を考慮することである。公知のＬＩＤＡＲ投影光学系は、レーザ源を点源としてモデル化する。本教示のＬＩＤＡＲシステムのいくつかの実施形態では、アレイ内の隣接するＶＣＳＥＬはそれぞれ、各レーザの放出面積の個々の直径よりも大きい分離ピッチを有する。ＶＣＳＥＬレーザのアレイは全て、自由空間内のＶＣＳＥＬレーザのアレイの投影された組み合わせられる直径より小さいクリア開口を伴う、共通光学レンズシステムを共有する。これは、少なくとも最外ビームを収束させる、第１のレンズによって遂行される。いくつかの実施形態では、収束レンズである、第１のレンズは、第１のレンズの焦点距離より短いある距離において、ＶＣＳＥＬアレイに隣接して位置付けられる。レンズシステムの最大視野角は、レーザの放出幅、レーザビームの発散を定義する光学システム、およびアレイ内のレーザの分離ピッチによって定義される。
【００９５】
いくつかの実施形態では、複数の送信機アレイは、自由空間内で重複され、同一ＶＣＳＥＬアレイ寸法を伴う単一送信機を用いて作成され得るものより稠密な角分解能を作成する。各送信機アレイは、関連付けられた第１のレンズを有する。各個々の送信機アレイの第１のレンズは、半径方向にオフセットされ、異なる角度パターンを生産する。各レンズシステムの半径方向オフセットは、同一である必要はない。送信機アレイは、共通基板上に位置し、種々の送信機アレイ間の距離は、同一である必要はない。複数の送信機を伴う実施形態では、送信機アレイおよび／または各送信機アレイを備える、個々のＶＣＳＥＬＳの波長は、同一または異なってもよい。異なる波長を使用する、本教示のＬＩＤＡＲシステムの実施形態では、波長に敏感な要素は、その波長に基づいて、遠視野内のビームをさらに収束または発散するために使用されてもよい。
【００９６】
本教示による光検出および測距の方法は、多波長光学ビームであり得る、第１の複数の光学ビームを生成する第１の複数の光エミッタを備える、第１の送信機アレイを提供するステップを含む。第１のレンズは、第１のレンズが、第１の複数の光学ビームを収束させ、ビームウェストを伴う第１の収束された光学ビームを形成するように、第１のレンズの焦点距離未満である、複数の光エミッタのうちの少なくとも１つからある距離において、第１の複数の光学ビームの光学経路内に位置付けられる。第２のレンズは、第１の収束された光学ビームを標的範囲に投影するように、第１の収束された光学ビームの光学経路内に位置付けられる。第２のレンズの位置および第１の複数の光エミッタのうちの少なくとも１つの放出幅は、投影された第１の収束された光学ビームの所望の視野を標的範囲に提供するように選択される。
【００９７】
本方法はまた、多波長光学ビームであり得る、第２の複数の光学ビームを生成する第２の複数の光エミッタを備える、第２の送信機アレイを提供するステップを含む。第３のレンズは、第３のレンズが、第２の複数の光学ビームを収束させ、ビームウェストを伴う第２の収束された光学ビームを形成するように、第３のレンズの焦点距離未満である、第２の複数の光エミッタのうちの少なくとも１つからある距離において、第２の複数の光学ビームの光学経路内に位置付けられる。第４のレンズは、第４のレンズが、第２の収束された光学ビームを標的範囲に投影するように、第２の収束された光学ビームの光学経路内に位置付けられる。第４のレンズの位置および第２の複数の光エミッタのうちの少なくとも１つの放出幅は、投影された第２の収束された光学ビームの所望の視野を標的範囲に提供するように選択される。第１の送信機アレイの位置および第２の送信機アレイの位置は、ＬＩＤＡＲ送信機の所望の視野を標的範囲に提供するように選定される。
【００９８】
（均等物）
本出願人の教示は、多様な実施形態に関連して説明されるが、本出願人の教示がそのような実施形態に限定されることを意図するものではない。対照的に、本出願人の教示は、多様な代替、変形および相当物に及び、当業者によって理解されるように、本教示の精神および範囲から逸脱することなくその中に作成されることが可能である。
【図１】
0006865492.tif 000002
【図２】
0006865492.tif 000003
【図３】
0006865492.tif 000004
【図４】
0006865492.tif 000005
【図５Ａ】
0006865492.tif 000006
【図５Ｂ】
0006865492.tif 000007
【図６】
0006865492.tif 000008
【図７】
0006865492.tif 000009
【図８】
0006865492.tif 000010
【図９】
0006865492.tif 000011
【図１０】
0006865492.tif 000012
【図１１Ａ】
0006865492.tif 000013
【図１１Ｂ】
0006865492.tif 000014
【図１２】
0006865492.tif 000015
【図１３】
0006865492.tif 000016
【図１４Ａ】
0006865492.tif 000017
【図１４Ｂ】
0006865492.tif 000018
【図１５】
0006865492.tif 000019
【図１６】
0006865492.tif 000020
【図１７】
0006865492.tif 000021